(57)【要約】      （修正有）【課題】個々のゴルフクラブ用の挿入口を備えるゴルフバッグを提供する。【解決手段】取外し可能な仕切りを備えるゴルフバッグ上部用ゴルフ・バッグ・フレームが、内側フレーム部材および別のフレーム部材を含む。取外し可能な仕切りは、１対のスナップクリップを有する。１対のスナップクリップの各スナップクリップは、取外し可能な仕切りの端面に機械的に結合されている。ゴルフ・バッグ・フレームはまた、１対のスナップ・クリップ・ソケットをも含む。１対のスナップ・クリップ・ソケットのスナップ・クリップ・ソケットは内側フレーム部材の側壁に配置されており、スナップ・クリップ・ソケットは別のフレーム部材の側壁に配置されている。１対のスナップ・クリップ・ソケットにはめ込まれると、取外し可能な仕切りはゴルフクラブ挿入口の区画をもたらす。【選択図】なし【特許請求の範囲】
【請求項１】
少なくとも１つの取外し可能な仕切りを備えるゴルフバッグ上部用ゴルフ・バッグ・フレームであって、
少なくとも１つの内側フレーム部材および別のフレーム部材と、
１対のスナップクリップを有する少なくとも１つの取外し可能な仕切りであって、前記１対のスナップクリップの各スナップクリップが各取外し可能な仕切りの端面に機械的に結合されている、少なくとも１つの取外し可能な仕切りと、
少なくとも１対のスナップ・クリップ・ソケットであって、前記１対のスナップ・クリップ・ソケットの少なくとも１つのスナップ・クリップ・ソケットが前記内側フレーム部材の側壁に配置されており、少なくとも１つのスナップ・クリップ・ソケットが前記別のフレーム部材の側壁に配置されている、少なくとも１対のスナップ・クリップ・ソケットと
を備え、
前記１対のスナップ・クリップ・ソケットにはめ込まれると、前記取外し可能な仕切りがゴルフクラブ挿入口の区画をもたらす、
ゴルフ・バッグ・フレーム。
【請求項２】
前記少なくとも１つの内側フレームに略平行に配置された第３の内側フレーム部材をさらに備え、前記少なくとも１つの取外し可能な仕切りが、前記取外し可能な仕切りの端面の間の略中間のスロットであって、前記第３の内側フレーム部材の上を摺動するスロットを備える、請求項１に記載のゴルフ・バッグ・フレーム仕切り。
【請求項３】
前記別のフレーム部材がスロット付きフレーム部材を備える、請求項１に記載のゴルフ・バッグ・フレーム仕切り。
【請求項４】
前記少なくとも１つの取外し可能な仕切りが、人間工学的な掴み表面をもたらすための軟質材料上張りを備える、請求項１に記載のゴルフ・バッグ・フレーム仕切り。
【請求項５】
前記少なくとも１つの取外し可能な仕切りがプラスチックを含む、請求項１に記載のゴルフ・バッグ・フレーム仕切り。
【請求項６】
前記スナップクリップが、１対のスナップ・クリップ・アームおよび１対のラッチを備え、各ラッチがそれぞれ各スナップ・クリップ・アームの端部に配置されている、請求項１に記載のゴルフ・バッグ・フレーム仕切り。
【請求項７】
前記スナップクリップが、１対のスナップ・クリップ・アームおよび１対のラッチであって、前記スナップ・クリップ・アームの間の圧縮開口の周りに分離された１対のスナップ・クリップ・アームおよび１対のラッチを備え、前記１対のラッチが、前記取外し可能な仕切りの挿入時または前記スナップ・クリップ・ソケットからの取外し時に前記圧縮開口内へ圧縮される、請求項１に記載のゴルフ・バッグ・フレーム仕切り。
【請求項８】
前記スナップ・クリップ・ソケットが、１対の角度付きソケット支柱によって支持されたＵ字形ソケット面部分を備える、請求項１に記載のゴルフ・バッグ・フレーム仕切り。
【請求項９】
１対の角度付きソケット支柱内壁が、前記１対のスナップ・クリップ・アームおよび前記１対のラッチを収容するための第１のソケット開口を画定する、請求項８に記載のゴルフ・バッグ・フレーム仕切り。
【請求項１０】
前記取外し可能な仕切りを前記スナップ・クリップ・ソケットに完全に挿入すると、前
記スナップ・クリップ・アームのそれぞれおよび前記１対のラッチのそれぞれが離れて広がり、そこで前記ラッチが、各角度付きソケット支柱の１対の下壁および各Ｕ字形ソケット面部分の１対の下壁によって画定される１対のラッチ空間を満たす、請求項８に記載のゴルフ・バッグ・フレーム仕切り。
【請求項１１】
前記取外し可能な仕切りが、前記取外し可能な仕切りの端部と前記スナップクリップとの間に配置されたブロックを備える、請求項１に記載のゴルフ・バッグ・フレーム仕切り。
【請求項１２】
前記ブロックが、前記取外し可能な仕切りの端部と前記スナップクリップの基部との間に配置されている、請求項１１に記載のゴルフ・バッグ・フレーム仕切り。
【請求項１３】
前記ブロックが角度付き壁ブロックを備える、請求項１１に記載のゴルフ・バッグ・フレーム仕切り。
【発明の詳細な説明】
【技術分野】
【０００１】
本出願は、ゴルフバッグに関し、より詳細には、個々のゴルフクラブ用の挿入口を備えるゴルフバッグに関する。
【背景技術】
【０００２】
ゴルフバッグは、最大で規定本数の１４本のゴルフクラブを運ぶことができる。
【発明の概要】
【０００３】
一態様によれば、少なくとも１つの取外し可能な仕切りを備えるゴルフバッグ上部用ゴルフ・バッグ・フレームが、少なくとも１つの内側フレーム部材および別のフレーム部材を含む。少なくとも１つの取外し可能な仕切りは、１対のスナップクリップを有する。１対のスナップクリップの各スナップクリップは、各取外し可能な仕切りの端面に機械的に結合されている。ゴルフ・バッグ・フレームはまた、少なくとも１対のスナップ・クリップ・ソケットをも含む。１対のスナップ・クリップ・ソケットの少なくとも１つのスナップ・クリップ・ソケットは内側フレーム部材の側壁に配置されており、少なくとも１つのスナップ・クリップ・ソケットは別のフレーム部材の側壁に配置されている。１対のスナップ・クリップ・ソケットにはめ込まれると、取外し可能な仕切りはゴルフクラブ挿入口の区画をもたらす。
【０００４】
一実施形態では、ゴルフ・バッグ・フレーム仕切りは、少なくとも１つの内側フレーム部材に略平行に配置された第３の内側フレーム部材をさらに含み、少なくとも１つの取外し可能な仕切りは、取外し可能な仕切りの端面の間の略中間のスロットであって、第３の内側フレーム部材の上を摺動するスロットを含む。
【０００５】
別の実施形態では、別のフレーム部材はスロット付きフレーム部材を含む。
【０００６】
別の実施形態では、少なくとも１つの取外し可能な仕切りは、人間工学的な掴み表面をもたらすための軟質材料上張りを含む。
【０００７】
別の実施形態では、少なくとも１つの取外し可能な仕切りはプラスチックを含む。
【０００８】
別の実施形態では、スナップクリップは、１対のスナップ・クリップ・アームおよび１対のラッチを含み、各ラッチがそれぞれ各スナップ・クリップ・アームの端部に配置されている。
【０００９】
別の実施形態では、スナップクリップは、１対のスナップ・クリップ・アームおよび１対のラッチであって、スナップ・クリップ・アームの間の圧縮開口の周りに分離された１対のスナップ・クリップ・アームおよび１対のラッチを含み、１対のラッチが、取外し可能な仕切りの挿入時またはスナップ・クリップ・ソケットからの取外し時に圧縮開口内へ圧縮される。
【００１０】
別の実施形態では、スナップ・クリップ・ソケットは、１対の角度付きソケット支柱によって支持されたＵ字形ソケット面部分を含む。
【００１１】
別の実施形態では、１対の角度付きソケット支柱内壁が、１対のスナップ・クリップ・アームおよび１対のラッチを収容するための第１のソケット開口を画定する。
【００１２】
別の実施形態では、取外し可能な仕切りをスナップ・クリップ・ソケットに完全に挿入すると、スナップ・クリップ・アームのそれぞれおよび１対のラッチのそれぞれは離れて広がり、そこでラッチが、各角度付きソケット支柱の１対の下壁および各Ｕ字形ソケット面部分の１対の下壁によって画定される１対のラッチ空間を満たす。
【００１３】
本出願の前述および他の態様、特徴、ならびに利点が、以下の説明および特許請求の範囲からより明らかになるであろう。
【図面の簡単な説明】
【００１４】
以下で説明する図面および特許請求の範囲を参照して、本出願の特徴がよりよく理解できる。図面は必ずしも原寸に比例したものではなく、それよりも一般に、本明細書で説明する原理を示すことに重点を置いたものである。図面中、様々な図を通して、同様の部分を示すために同様の参照符号を用いる。
【００１５】
【図１】図１は、本出願による人間工学的ハンドル付きＴタブアセンブリおよび取外し可能な仕切りを備える例示的なゴルフ・バッグ・フレームの分解図を示す図面である。
【００１６】
【図２】図２は、第１の予め設定可能な高さ位置に設定された人間工学的ハンドル付きＴタブアセンブリの設置を示す図面である。
【００１７】
【図３】図３は、第２の予め設定可能な高さ位置に設定された人間工学的ハンドル付きＴタブアセンブリの設置を示す図面である。
【００１８】
【図４】図４は、第３の予め設定可能な高さ位置に設定された人間工学的ハンドル付きＴタブアセンブリの設置を示す図面である。
【００１９】
【図５】図５は、第４の予め設定可能な高さ位置に設定された人間工学的ハンドル付きＴタブアセンブリの設置を示す図面である。
【００２０】
【図６】図６は、本出願による例示的なゴルフ・バッグ・フレームの上方にある３つの取外し可能な仕切りの等角図を示す図面である。
【００２１】
【図７】図７は、右端の取外し可能な仕切りが設置された状態の図６のゴルフ・バッグ・フレームの図面である。
【００２２】
【図８】図８は、中央および右端の取外し可能な仕切りが設置された状態の図６のゴルフ・バッグ・フレームの図面である。
【００２３】
【図９】図９は、３つの全ての取外し可能な仕切りが設置された状態の図６のゴルフ・バッグ・フレームの図面である。
【００２４】
【図１０】図１０は、例示的な人間工学的ハンドル付きＴタブアセンブリの側面図を示す図面である。
【００２５】
【図１１】図１１は、弛緩位置にある係止ノブアセンブリを示す図面である。
【００２６】
【図１２】図１２は、係合し応力を受ける戻り止め位置にある係止ノブを示す図面である。
【００２７】
【図１３】図１３は、例示的な取外し可能な仕切りの斜視図を示す図面である。
【００２８】
【図１４】図１４は、図１３の取外し可能な仕切りのスナップクリップのより詳細な図を示す図面である。
【００２９】
【図１５】図１５は、例示的なスナップ・クリップ・ソケットの斜視図を示す図面である。
【００３０】
【図１６】図１６は、図１５のスナップ・クリップ・ソケットの詳細図を示す図面である。
【００３１】
【図１７】図１７は、図１のゴルフ・バッグ・フレームの上面図を示す図面である。
【発明を実施するための形態】
【００３２】
ゴルフクラブを保管および運搬する上での課題の１つは、どのようにしてドライバを最大限に保護するかである。ドライバは通常、他のクラブに比べてより長いシャフトと、より大きいまたはより重いゴルフヘッドとを有し、最大限の保護のためにゴルフバッグ内で別々に保管すべきである。しかし、個々のシャフト長さおよびヘッドタイプは様々である。必要なのは、ドライバを最大限に保護するための調整可能な区画である。ゴルファはまた、ゴルフバッグの調整可能な部分による不必要な怪我から自分たちの手を守る必要もあり、高齢化しつつあるゴルファの数が増えているということは、それらの高齢のプレーヤを含め全てのプレーヤによって調整が容易に行われるべきであることを意味する。必要なのは、鋭い縁部がなく、調整が容易で、ひとたび調整されると所定の位置にとどまることになる人間工学的ハンドルを備える、調整可能な区画である。
【００３３】
対応する一連のＴタブスロット内で摺動する一連の細長いＴタブと組み合わされた長い人間工学的昇降ハンドルの組合せが、良好な調整摩擦をもたらすことが分かった。さらに、最も外側のＴタブスライドのそれぞれの外縁部に一連の戻り止めノッチを設けることによって、一連の設定可能な高さを望まれていない動きに対してより頑健にすることができることが分かった。これらの解決策は、ゴルフバッグの上部に設置すべきフレームへの組込みに特に適していることが判明した。
【００３４】
固定されたゴルフクラブ挿入口を備えるゴルフバッグの別の問題は、常設の中仕切りが、バッグ内の部品または構成要素の回収のためのアクセスを妨げ、あるいはより広い挿入口が必要であるかまたは望まれる場合にゴルフクラブ挿入口の再構成を妨げることである。所定の位置にはめることができる一方向の仕切りがこうした融通性を可能にすることが分かった。さらに、より簡単な取外しまたは装着のために取外し可能な仕切りをより人間工学的にするために、軟質のカバーを追加することができる。
【００３５】
図１は、本出願による例示的なゴルフ・バッグ・フレーム１００、ゴルフ・バッグ・フレーム仕切りの分解図を示す図面である。人間工学的ハンドル付きＴタブアセンブリ１１０は、人間工学的ハンドル１１１を含む。人間工学的ハンドル１１１を引き出すことまたは押し込むことにより、人間工学的ハンドル付きＴタブアセンブリ１１０は、ゴルフ・バッグ・フレーム１００のスロット付きフレーム部材１３１内を所望の選択可能な高さまで摺動するように動く。人間工学的ハンドル１１１は、図１に示すような曲線形状と、任意選択で、フレーム部材の材料より軟質の外層または被覆材料とを有することができる。図１の例示的実施形態では、人間工学的ハンドル付きＴタブアセンブリ１１０は、第１の外側Ｔタブ１１３と、４つのＴタブ１１７と、第２の外側Ｔタブ１１５とを含む。Ｔタブは全て、スロット付きフレーム部材１３１の分離部１３５の間に配置された対応するスロット１３３内を摺動するように動く間に、任意の適切なレベルの摩擦を受けることができる。Ｔタブおよびスロット付きフレーム部材のスロットは、略平坦な矩形断面を有すること
ができる。１つまたは複数の端止めラッチ１２１が、スロット付きフレーム部材１３１への人間工学的ハンドル付きＴタブアセンブリ１１０の最初の摺動設置を可能にするとともに、人間工学的ハンドル付きＴタブアセンブリ１１０が最上部調整位置を越えて偶発的に取り外されることを防止するかまたは少なくとも抑制することができる。
【００３６】
前記フレーム部材の少なくとも１つの追加の隆起部が、前記内側フレーム部材の平面より高くなっていて、ゴルフバッグ運搬用ハンドル部材を提供することができる。図には２つのこうしたゴルフ・バッグ・ハンドルが示してある。ゴルフバッグ運搬用ハンドル部材（たとえば、図１７の８１５）は、前記ゴルフバッグ運搬用ハンドルの周りに配置されたものより軟質の人間工学的材料で覆うこともできる。
【００３７】
図１０は、例示的な人間工学的ハンドル付きＴタブアセンブリ１１０の側面図を示す図面である。Ｔタブのそれぞれは、人間工学的ハンドル１１１に機械的に結合された細長い平坦なタブである。Ｔタブは、第１の外側Ｔタブ１１３と、４つのＴタブ１１７と、第２の外側Ｔタブ１１５とを含む。人間工学的ハンドル付きＴタブアセンブリ１１０の予め設定可能な高さ位置を提供するために、ノッチ１１９（たとえば略半円形状を有することができる戻り止め位置）が、任意の適当な直線的または非直線的な間隔で配置されている。４つの略等間隔のノッチ１１９が第１の外側Ｔタブ１１３と第２の外側Ｔタブ１１５の両方のいずれの外縁部（外側Ｔタブの外縁部）にも示してあるが、任意の適当な数のノッチＮを、任意の適当な等距離または非等距離の間隔で、それらの任意の組合せも含めて、用いることができる。人間工学的ハンドル付きＴタブアセンブリ１１０は、少なくとも１つのゴルフクラブ挿入口に隣接して摺動可能に調整可能な高さを有する。
【００３８】
調整位置は、第１の外側Ｔタブ１１３と第２の外側Ｔタブ１１５の両方の最外縁部上のＴタブノッチによって実現される。人間工学的ハンドル付きＴタブアセンブリ１１０の任意の個々の選択可能な高さで、戻り止め係止ノブ１４１が対応するノッチ１１９内に入って、さらに人間工学的ハンドル付きＴタブアセンブリ１１０を所望の高さに保持する。ノッチ１１９は、人間工学的ハンドル付きＴタブアセンブリ１１０の所望の設定高さの偶発的なまたは不注意による変更を防止する。人間工学的ハンドル１１１に十分な力を加えることにより、戻り止め係止ノブ１４１が対応するノッチ１１９から解放されて、人間工学的ハンドル付きＴタブアセンブリ１１０を異なるより低いまたはより高い所望の高さに設定することが可能になる。人間工学的ハンドル付きＴタブアセンブリ１１０の様々な選択可能な高さは、第１の外側Ｔタブ１１３と第２の外側Ｔタブ１１５の両方の最外縁部上のノッチ１１９の様々な位置によって製造時に予め設定される。ノッチ１１９の任意の適当な間隔（直線的または非直線的）を用いて、人間工学的ハンドル付きＴタブアセンブリ１１０のための予め設定された選択可能な高さ位置を設置することができる。より一般的には、少なくとも１つの戻り止め機構が少なくとも１つのノッチと係合して、人間工学的ハンドル付きＴタブアセンブリを前記フレーム部材の上方で選択可能な予め設定された高さに保持することができる。
【００３９】
図１１および図１２は、戻り止め係止ノブ１４１がどのようにして対応するノッチ１１９と係合して人間工学的ハンドル付きＴタブアセンブリ１１０の所望の選択可能な高さを設定するのかについてのさらなる詳細を示す。図１１は、摺動する人間工学的ハンドル付きＴタブアセンブリ１１０の設置前の弛緩位置にある係止ノブおよび戻り止めばねアセンブリ１３９（例示的な戻り止め機構）を示す図面である。係止ノブおよび戻り止めばねアセンブリ１３９は、スロット付きフレーム部材１３１内の窓１３７を通して見える。図１２は、摺動する人間工学的ハンドル付きＴタブアセンブリ１１０の設置および高さ選択に続いてノッチ１１９内に配置された、係合し応力を受ける戻り止め位置にある係止ノブおよび戻り止めばねアセンブリ１３９を示す図面である。本出願の本例示的実施形態では、１対の係止ノブが、人間工学的ハンドル付きＴタブアセンブリ１１０がスロット付きフレ
ーム部材１３１内に摺動するスロット付きフレーム部材１３１の両側にある。係止ノブ１４１は、（ノッチ１１０の位置によって）予め決められた人間工学的ハンドル付きＴタブアセンブリ１１０の高さ位置を設定および保持する戻り止め機構として働く。
【００４０】
係止ノブおよび戻り止めばねアセンブリ１３９は、直線アームまたは二重湾曲型アームとすることができる。図１１および図１２に示すように、例示的な二重湾曲型アーム戻り止めばねは、固定取付けアーム１４３と係止ノブ１４１との間に配置された係止アームエルボ１４５を含む。
【００４１】
図２〜図５は、人間工学的ハンドル付きＴタブアセンブリ１１０の設置の進行を、端止めラッチ１２１がスロット付きフレーム部材１３１の下面を通過するところから、２つの異なる例示的な設定可能な高さを通って、人間工学的ハンドル１１１がスロット付きフレーム部材１３１の上面の近傍または上面上にある、人間工学的ハンドル付きＴタブアセンブリ１１０が完全に格納されたところまで示す、一連の図面である。
【００４２】
図２は、１対の端止めラッチ１２１（両側）がスロット付きフレーム部材１３１の下面を通過し、１対の戻り止め係止ノブ１４１（両側）が第１の選択可能な高さ位置で第１のノッチ１１９内に配置されているところから、人間工学的ハンドル付きＴタブアセンブリ１１０の設置を示す図面である。図３は、１対の係止ノブ１４１（両側）が第２の選択可能な高さ位置で第２の１対のノッチ１１９内に配置されている、人間工学的ハンドル付きＴタブアセンブリ１１０の設置を示す図面である。図４は、１対の係止ノブ１４１（両側）が第３の選択可能な高さ位置で第３の１対のノッチ１１９内に配置されている、人間工学的ハンドル付きＴタブアセンブリ１１０の設置を示す図面である。図５は、１対の係止ノブ１４１（両側）が第４の選択可能な完全に格納された高さ位置で第４の１対のノッチ１１９内に配置されている、人間工学的ハンドル付きＴタブアセンブリ１１０の設置を示す図面である。
【００４３】
図１７は、本出願による例示的なゴルフ・バッグ・フレーム１００の上面図を示す図面である。人間工学的ハンドル付きＴタブアセンブリ１１０およびスロット付きフレーム部材１３１と結合された外側フレーム部（外周部）を有するフレーム９１０、ならびに固定された内側フレーム部材１８０３，１８０５が、ゴルフクラブ挿入口１，２，および３を画定し、これらはそれぞれ、ゴルフの正式な試合に許された１４本のゴルフクラブのうちの３本の異なるドライバ・ゴルフ・クラブを受け入れることができる。人間工学的ハンドル１１１の上端に沿った曲線が、人間工学的ハンドル付きＴタブアセンブリ１１０の所与の高さ設定に対して位置１および３でわずかに異なるシャフト長さに対応することができることにも留意されたい。曲線形状は、１つもしくは複数の曲線またはアーチ形状を含め任意の適当な丸みを帯びた形状とすることができる。通常は、ゴルフクラブ挿入口のそれぞれは異なるゴルフクラブを収容する。
【００４４】
また、図１７には、バッグハンドル８１５と、略台形部材７１０によって画定される挿入口１４とが見える。挿入口１４は、たとえば、パター・ゴルフ・クラブを収容するために使用することができる。凹凸部、またはそうでなければ人間工学的ハンドル１１１のパターン付き領域、バッグハンドル８１５、および台形部材７１０は、たとえば比較的軟質のプラスチックなど、フレーム９１０の通常はより硬質の金属またはプラスチックに対して比較的軟質の材料および／またはテクスチャ付き材料を使用することができるところを示す。こうした比較的軟質の材料（すなわち、前記フレームより軟質）および／またはテクスチャ付き材料は、任意の適当な方法によって、たとえば、フレーム部材、内側フレーム部材、台形状開口、および／または内側フレーム部材によって画定される平面の上方に延びるゴルフ・バッグ・ハンドルとして使用するための少なくとも１つのフレーム部を覆って、またはそれらの上に、巻装、成形、またははめることなどによって施すことができ
る。通常は、少なくとも１つの内側フレーム部材が、全体的にまたは部分的に前記フレーム部材と結合されて、略台形開口ゴルフクラブ挿入口を形成する。図１７には、フレーム９１０の例示的な固定された内側フレーム部材１８０１（１８０１ａ，１８０１ｂ），１８０３，および１８０５を見ることができる。
【００４５】
図１に戻ると、取外し可能な仕切り６１０がスナップ・クリップ・ソケット１５００にはまるのを見ることができる。取外し可能な仕切り６１０は通常、１対のスナップ・クリップ・ソケット１５００にはまり、一方のスナップ・クリップ・ソケットは内側フレーム部材（たとえば、スロット付きフレーム部材１３１）に取り付けられており、他方は別の異なる内側フレーム部材（たとえば、内側フレーム部材１８０１ｂ）に取り付けられている。取外し可能な仕切り６１０のそれぞれのノッチ（たとえば、ノッチ開口６１４）を用いることにより、いくつかの実施形態では、取外し可能な仕切り６１０は第３の内側フレーム部材（たとえば、内側フレーム部材１８０１ａ）を横切ることができる。
【００４６】
スナップ・クリップ・ソケット１５００は、スロット付きフレーム部材１３１と内側フレーム部材１８０１ｂの両方の側壁に沿って所望の位置に位置することができる。取外し可能な仕切り６１０は、比較的軟質の材料および／またはテクスチャ付き材料によって覆うことができ、たとえば、より優れた人間工学的なグリップのために、フレーム９１０の通常はより硬質の金属またはプラスチックに対して比較的軟質のプラスチックを使用することができる。たとえば、取外し可能な仕切り６１０の上に配置された軟質材料上張りが、人間工学的な掴み表面をもたらすことができる。
【００４７】
図１３は、例示的な取外し可能な仕切り６１０の斜視図を示す図面である。取外し可能な仕切り６１０は、両端部にスナップクリップソケット１５００を有し、略矩形のノッチ開口６１４が角度付き壁６１３によって画定される。ノッチ開口６１４は、内側フレーム部材１８０１ａに対応し、図６に示す内側フレーム部材１８０１ａの上部の上を摺動する。内側フレーム部材１８０１ａ上へのノッチ開口６１４の係合は、内側フレーム部材１８０１ａと取外し可能な仕切り６１０の両方をさらに安定化および補強することができる。
【００４８】
図１４は、図１３の取外し可能な仕切り６１０のスナップクリップ６２０のより詳細な図を示す図面である。各スナップクリップ６２０は、基部６２１と、１対のスナップ・クリップ・アーム６２３と、１対のラッチ６２５とを含む。スナップクリップ内壁６２７がスナップ・クリップ・アーム６２３内の圧縮開口６２８を画定し、１対のラッチ６２５が、取外し可能な仕切りの挿入時またはスナップ・クリップ・ソケット１５００（たとえば、図１５）からの取外し時に圧縮されることができる。以下によりよく理解されるように、スナップクリップ長手方向空間６３１が一方の側をスナップクリップ６２０面によって画定され、他方の側の仕切りの端面６３３が挿入時にスナップ・クリップ・ソケット１５００の一部に嵌合する。ブロック６２９（たとえば、正方形、長方形、または角度付き壁のブロック）が、スナップクリップ６２０と取外し可能な仕切り６１０の端部（端面６３３）の両方のより優れた剛性のために支持をさらに強化および追加する。ブロック６２９は通常、仕切りの端面６３３とスナップクリップ６２０の基部６２１との間に配置されている。
【００４９】
図１５は、必ずではないが、通常、スロット付きフレーム部材１３１と内側フレーム部材１８０１の両方の側壁に沿って等間隔に配置されている、例示的なスナップ・クリップ・ソケット１５００の斜視図を示す図面である。
【００５０】
図１６は、図１５のスナップ・クリップ・ソケット１５００の詳細図を示す図面である。本例示的実施形態では、Ｕ字形ソケット面部分１５０１が、角度付きソケット支柱１５４４により、スロット付きフレーム部材１３１または内側フレーム部材（たとえば、内側
フレーム部材１８０１ｂ）のいずれかの側壁表面から距離を隔てて支持されている。角度付きソケット支柱内壁１５２３が、スナップクリップ６２０の１対のスナップ・クリップ・アーム６２３および１対のラッチ６２５を収容するように適合された第１のソケット開口１５２５を画定する。Ｕ字形ソケット面内壁１５１３が、取外し可能な仕切り６１０のブロック６２９を収容するように適合された第２のソケット開口１５１３を画定する。取外し可能な仕切り６１０が挿入されるまたはスナップ・クリップ・ソケット１５００から取り外される際、スナップクリップ６２０の１対のスナップ・クリップ・アーム６２３および１対のラッチ６２５は、第１のソケット開口１５２５を通って進むときに圧縮される。取外し可能な仕切り６１０をスナップ・クリップ・ソケット１５００に完全に挿入すると、スナップクリップ６２０のスナップ・クリップ・アーム６２３および１対のラッチ６２５は離れて広がり、そこでラッチ６２５は、各角度付きソケット支柱１５４４の下壁および各Ｕ字形ソケット面部分１５０１の後下壁によって画定されるラッチ空間１５３５を満たす。スナップクリップ６２０のスナップ・クリップ・アーム６２３および１対のラッチ６２５が離れて広がってラッチ空間１５３５を満たした後、取外し可能な仕切りは所定の位置でスナップ・クリップ・ソケット１５００にはめ込まれる。
【００５１】
図６は、例示的なゴルフ・バッグ・フレーム１００の上方にある３つの取外し可能な仕切り６１０の等角図を示す図面である。３つの取外し可能な仕切り６１０は、以上に説明したように、スロット付きフレーム部材１３１および内側フレーム部材１８０１ａの側壁上の６つの対応するスナップ・クリップ・ソケット１５００にはまるように適合されている。図６には、内側フレーム部材１８０１ａの側壁上のスナップ・クリップ・ソケット１５００は見えない。図７は、右端の仕切り６１０が設置された状態の図６のゴルフ・バッグ・フレーム１００の図面である。図８は、中央および右端の仕切り６１０が設置された状態の図６のゴルフ・バッグ・フレーム１００の図面である。図９は、３つの全ての仕切り６１０が設置された状態の図６のゴルフ・バッグ・フレーム１００の図面である。
【００５２】
以上に説明したようなゴルフ・バッグ・フレームは、任意の適当な粘着剤、接着剤、凹部、凸部、スロット、および／または留め具を用いて任意の適当な方法でゴルフバッグに固定することまたは取り付けることができる。ゴルフバッグがどのような１つまたは複数の材料で作られているかも重要ではない。
【００５３】
上記に開示したおよび他の特徴ならびに機能の変形形態、またはその代替形態が、多くの他の異なるシステムまたは応用に組み合わされてもよいことが理解されよう。様々な現在予期しないまたは予想外の代替形態、修正形態、変形形態、またはその改良が、後に当業者によって加えられてもよく、それらも以下の特許請求の範囲によって包含されることが意図される。
【図１】
2020124479.tif 000002
【図２】
2020124479.tif 000003
【図３】
2020124479.tif 000004
【図４】
2020124479.tif 000005
【図５】
2020124479.tif 000006
【図６】
2020124479.tif 000007
【図７】
2020124479.tif 000008
【図８】
2020124479.tif 000009
【図９】
2020124479.tif 000010
【図１０】
2020124479.tif 000011
【図１１】
2020124479.tif 000012
【図１２】
2020124479.tif 000013
【図１３】
2020124479.tif 000014
【図１４】
2020124479.tif 000015
【図１５】
2020124479.tif 000016
【図１６】
2020124479.tif 000017
【図１７】
2020124479.tif 000018
【外国語明細書】
2020124479000001.pdf